(57)【要約】 【課題】入力される信号の種別を問わない信号入力回路を簡単な回路構成で製造コストを低減したものとして構成し、遊技機等の交換に伴う入力回路設定にかかる工数を削減し、しかもミスを防止できる遊技関連機器の入力回路を提供する。【解決手段】  電圧信号または接点信号で出力される遊技関連機器の出力データを収集するための入力回路１００において、電圧信号入力時には回路保護機能を有し、接点信号入力時には出力電圧制御機能を有する接点対応回路制御手段３００と、電圧信号入力に対応し、出力電圧制御機能を有する電圧対応回路制御手段４００とを備え、遊技関連機器からの電圧信号入力または接点信号入力を、接点対応回路制御手段３００と電圧対応回路制御手段４００に入力し、電圧信号入力または接点信号入力のいずれであっても、接点対応回路制御手段３００と電圧対応回路制御手段４００からの同一体系の出力信号に変換する。【選択図】図１
2005081023.tif 000002
【特許請求の範囲】
【請求項１】
電圧信号または接点信号で出力される遊技関連機器の出力データを収集するための入力回路において、
電圧信号入力時には回路保護機能を有し、接点信号入力時には出力電圧制御機能を有する接点対応回路制御手段と、電圧信号入力に対応し、出力電圧制御機能を有する電圧対応回路制御手段とを備え、
遊技関連機器からの電圧信号入力または接点信号入力を、前記接点対応回路制御手段と電圧対応回路制御手段に入力し、電圧信号入力または接点信号入力のいずれであっても、前記接点対応回路制御手段と電圧対応回路制御手段からの同一体系の出力信号に変換する
ことを特徴とする遊技関連機器の入力回路。
【請求項２】
電圧信号または接点信号で出力される遊技関連機器の出力データを収集するための入力回路において、
電圧信号入力時には回路保護機能を有し、接点信号入力時には出力電圧制御機能を有する接点対応回路制御手段と、電圧信号入力に対応し、出力電圧制御機能を有する電圧対応回路制御手段とを備え、
前記接点対応回路制御手段は、電圧比較器と回路保護のためのフォトカプラーとを備えて成り、該電圧比較器の＋端子には基準電圧が接続されるとともに、−端子には、＋入力端子が接続され、前記電圧比較器の出力はフォトカプラーの発光部に接続され、該フォトカプラーの出力部は、出力点と＋入力端子との間に位置するよう配置されており、
前記電圧対応回路制御手段は、電圧比較器を備え、該電圧比較器の−端子には基準電圧が接続されるとともに、＋端子には、＋入力端子が接続され、該電圧比較器の出力によって、出力点がグランドに対して断切するよう接続されて成り、
遊技関連機器からの電圧信号入力または接点信号入力を、前記接点対応回路制御手段と電圧対応回路制御手段に入力し、電圧信号入力または接点信号入力のいずれであっても、前記接点対応回路制御手段と電圧対応回路制御手段からの同一体系の出力信号に変換する
ことを特徴とする遊技関連機器の入力回路。
【請求項３】
情報収集機本体や本体に関連する端末機に搭載することを特徴とする請求項１または２に記載の遊技関連機器の入力回路。
【請求項４】
インターフェイス基板や信号変換装置として単体で動作可能なことを特徴とする請求項１または２に記載の遊技関連機器の入力回路。
【発明の詳細な説明】
【技術分野】
【０００１】
本発明は、電圧信号または接点信号で出力される遊技関連機器の出力データを収集するための入力回路に関する。
【背景技術】
【０００２】
遊技関連機器の出力体系は、遊技機メーカごとに接点出力または電圧出力となっている。遊技店では、遊技機を頻繁に交換するため、交換する度に入力部設定を交換された機種ごとに再度設定し直さなければならない。
【０００３】
従来の遊技関連機器の入力回路としては、例えば特許文献１に示すようなものがある。
すなわち、遊技機の接点出力に対して電圧を供給する電圧出力端子と、この電圧出力端子に接続する分配コネクタとを有し、遊技機からの情報出力が電圧出力である場合は、その出力信号線をそのまま入力端子に接続し、遊技機からの情報出力が接点出力である場合は、分配コネクタの出力信号線を遊技機の接点出力端子を介して入力インターフェース回路に接続するようにして、電圧出力と接点出力の両方を入力可能としたもので、必要により分配コネクタの接続を切替えるものである。
【０００４】
【特許文献１】特開平９−５６９０８号公報
【発明の開示】
【発明が解決しようとする課題】
【０００５】
しかしながら、このような従来の技術では、本来、交換される遊技機や遊技媒体貸出機等だけの配線を交換するだけで済む作業であるものが、遊技機や遊技媒体貸出機等の出力形態を確認し、分配コネクタの接続の切替を行なうという煩雑な作業が必要であり、さらに、この設定を間違うと破損の大きな原因にもなるものであった。
【０００６】
本発明は、このような従来の技術が有する問題点に着目してなされたもので、入力される信号の種別を問わない信号入力回路を簡単な回路構成で製造コストを低減したものとして構成し、遊技機等の交換に伴う入力回路設定にかかる工数を削減し、しかもミスを防止できる遊技関連機器の入力回路を提供することを目的としている。
【課題を解決するための手段】
【０００７】
かかる目的を達成するための本発明の要旨とするところは、次の各項の発明に存する。
【０００８】
［１］  電圧信号または接点信号で出力される遊技関連機器の出力データを収集するための入力回路（１００）において、
電圧信号入力時には回路保護機能を有し、接点信号入力時には出力電圧制御機能を有する接点対応回路制御手段（３００）と、電圧信号入力に対応し、出力電圧制御機能を有する電圧対応回路制御手段（４００）とを備え、
遊技関連機器からの電圧信号入力または接点信号入力を、前記接点対応回路制御手段（３００）と電圧対応回路制御手段（４００）に入力し、電圧信号入力または接点信号入力のいずれであっても、前記接点対応回路制御手段（３００）と電圧対応回路制御手段（４００）からの同一体系の出力信号に変換する
ことを特徴とする遊技関連機器の入力回路（１００）。
【０００９】
［２］  電圧信号または接点信号で出力される遊技関連機器の出力データを収集するための入力回路（１００）において、
電圧信号入力時には回路保護機能を有し、接点信号入力時には出力電圧制御機能を有する接点対応回路制御手段（３００）と、電圧信号入力に対応し、出力電圧制御機能を有する電圧対応回路制御手段（４００）とを備え、
前記接点対応回路制御手段（３００）は、電圧比較器（３０１）と回路保護のためのフォトカプラー（３０２）とを備えて成り、該電圧比較器（３０１）の＋端子には基準電圧が接続されるとともに、−端子には、＋入力端子（１１０）が接続され、該電圧比較器（３０１）の出力はフォトカプラー（３０２）の発光部に接続され、該フォトカプラー（３０２）の出力部は、出力点（Ａ）と、＋入力端子（１１０）との間に位置するよう配置されており、
前記電圧対応回路制御手段（４００）は、電圧比較器（４０１）を備え、該電圧比較器（４０１）の−端子には基準電圧が接続されるとともに、＋端子には、＋入力端子（１１０）が接続され、該電圧比較器（４０１）の出力によって、出力点（Ａ）がグランドに対して断切するよう接続されて成り、
遊技関連機器からの電圧信号入力または接点信号入力を、前記接点対応回路制御手段（３００）と電圧対応回路制御手段（４００）に入力し、電圧信号入力または接点信号入力のいずれであっても、前記接点対応回路制御手段（３００）と電圧対応回路制御手段（４００）からの同一体系の出力信号に変換する
ことを特徴とする遊技関連機器の入力回路（１００）。
【００１０】
［３］  情報収集機本体や本体に関連する端末機に搭載することを特徴とする[１]または[２]に記載の遊技関連機器の入力回路（１００）。
【００１１】
［４］  インターフェイス基板や信号変換装置として単体で動作可能なことを特徴とする[１]または[２]に記載の遊技関連機器の入力回路（１００）。
【００１２】
前記本発明は次のように作用する。  
前記[１]記載の発明では、入力回路（１００）は遊技関連機器に接続され、電圧信号または接点信号で出力される遊技関連機器の出力データを収集する。  
電圧対応回路制御手段（４００）では、電圧信号入力時には回路保護機能により過大な電圧が回路に負荷しないよう保護し、接点信号入力時には出力電圧制御機能により、これを所定の出力に変換して出力する。電圧対応回路制御手段（４００）では、電圧信号入力があった場合に、出力電圧制御機能により所定の出力に変換して出力する。
【００１３】
このように、遊技関連機器からの電圧信号入力または接点信号入力を、接点対応回路制御手段（３００）と電圧対応回路制御手段（４００）に入力し、電圧信号入力または接点信号入力のいずれであっても、接点対応回路制御手段（３００）と電圧対応回路制御手段（４００）からの同一体系の出力信号に変換して出力する。
【００１４】
これにより、パチンコ機、スロットマシン、玉貸機、メダル貸機、計数器、両替機等の遊技関連機器の交換をする場合、単に配線を接続すればよく、出力信号形態の確認を行ない、さらに出力信号に合わせ、切替スイッチを操作するなどの煩雑な作業が不要である。したがって、工数が最小で済むとともに、設定ミスによる機器の破損の恐れがなくなり、事故の低減やコスト削減につながる。また、回路構成が簡単であるので、必要なコストも最小限で済む。
【００１５】
前記[２]記載の発明では、接点対応回路制御手段（３００）は、電圧比較器（３０１）の−端子に電圧信号、または接点信号が入力すると、＋電圧信号の場合は、電圧比較器（３０１）の出力はＬとなってフォトカプラー（３０２）の発光部に出力され、フォトカプラー（３０２）の出力部がＯＦＦとなるため、出力点（Ａ）側に電流が流れず、回路が保護される。電圧比較器（３０１）の−端子に無電圧信号、または開放接点信号が入力すると、電圧比較器の出力はＨとなってフォトカプラー（３０２）の発光部に出力され、フォトカプラー（３０２）の出力部はＯＮとなり、電流が流れるので、出力点（Ａ）に電圧が発生し、同一体系の所定の出力信号となる。
また、＋入力端子（１１０）と−入力端子（１２０）がショートする閉成接点信号となると、上記の電流が接点を通りグランドに流れるので、出力点（Ａ）は０Ｖになる。
【００１６】
電圧対応回路制御手段（４００）では、電圧比較器（４０１）の＋端子に、＋電圧信号が入力されると、電圧比較器（４０１）の出力はＨとなり、出力点（Ａ）がグランドに落とされるので、出力点（Ａ）の電圧は０Ｖとなる。すなわち、電圧信号入力の場合に、電圧信号が無電圧の場合は、前記のように、出力点（Ａ）に電圧が発生するので、電圧信号入力に対して同一体系の所定の出力信号を発生させることができる。
【００１７】
本発明では、遊技関連機器からの電圧信号入力または接点信号入力は、前記接点対応回路制御手段（３００）と電圧対応回路制御手段（４００）に入力し、電圧信号入力または接点信号入力のいずれであっても、前記接点対応回路制御手段（３００）と電圧対応回路制御手段（４００）からの同一体系の出力信号に変換される。
前記[３]記載の発明では、情報収集機本体や本体に関連する端末機に搭載するので、情報収集機本体や本体に関連する端末機に安全確実に信号が伝達され、安定した動作と機器管理をすることができる。
【００１８】
前記[４]記載の発明では、インターフェイス基板や信号変換装置として単体で動作可能としたので、情報収集機本体や本体に関連する端末機に対して後付けすることができ、汎用に使用でき、便宜であるとともに、既存の設備でも、事故の防止やコスト低減をすることができる。
【発明の効果】
【００１９】
本発明にかかる遊技関連機器の入力回路によれば、遊技関連機器からの電圧信号入力または接点信号入力を、接点対応回路制御手段と電圧対応回路制御手段に入力し、電圧信号入力または接点信号入力のいずれであっても、接点対応回路制御手段と電圧対応回路制御手段からの同一体系の出力信号に変換して出力することができるので、パチンコ機、スロットマシン、玉貸機、メダル貸機、計数器、両替機等の遊技関連機器の交換をする場合、単に配線を接続すればよく、出力信号形態の確認を行い、さらに出力信号に合わせ、切替スイッチを操作するなどの煩雑な作業が不要である。したがって、工数が最小で済むとともに、設定ミスによる機器の破損の恐れがなくなり、事故の低減やコスト削減につながる。また、回路構成が簡単であるので、必要なコストも最小限で済む。
【００２０】
また、情報収集機本体や本体に関連する端末機に搭載した場合、情報収集機本体や本体に関連する端末機に安全確実に信号が伝達され、安定した動作と機器管理をすることができる。インターフェイス基板や信号変換装置として単体で動作可能とした場合、情報収集機本体や本体に関連する端末機に対して後付けすることができ、汎用に使用でき、便宜であるとともに、既存の設備でも、事故の防止やコスト低減をすることができる。
【発明を実施するための最良の形態】
【００２１】
以下、図面に基づき本発明の好適な実施の形態を説明する。  
各図は本発明の一実施の形態を示している。  
図１は、本発明の一実施の形態に係る遊技関連機器の入力回路を概念的に示したブロック図である。  
電圧入力と接点信号入力を１つの入力回路で受けるよう構成し、遊技機や遊技媒体貸出機等の遊技関連機器の出力体系を問わず信号を検出して受け取り、所定の出力をするようになっている。
【００２２】
入力回路１００は、接点対応回路制御手段３００と、電圧対応回路制御手段４００とを並列に接続して成り、接点対応回路制御手段３００と電圧対応回路制御手段４００とに共通の＋入力端子１１０および、出力点Ａが設けられている。出力点Ａには、調整抵抗１３０が接続されている。なお、−入力端子１２０は、グランドに落とされている。
【００２３】
接点対応回路制御手段３００は、接点信号に対応するもので、電圧信号であった場合の回路保護機能と、接点信号であった場合に接点信号を電圧信号に変換して出力する出力電圧制御機能を有している。電圧対応回路制御手段４００は、接点信号入力と電圧信号入力を受け、電圧信号入力を受けた場合は電圧信号を出力する出力電圧制御機能を備えている。
【００２４】
図２は、入力回路をより詳細に示した回路ブロック図である。接点対応回路制御手段３００は、電圧比較器３０１と、基準電圧を生成する抵抗３０３と、ツェナーダイオード３０４と、回路保護機能を有する出力部であるフォトカプラー３０２と、フォトカプラー３０２の発光部の電流保護を目的とした逆電流防止する保護ダイオード３０６を備えて構成されている。
【００２５】
電圧比較器３０１の−端子には＋入力端子１１０が接続され、基準電圧生成抵抗３０３が、電圧比較器３０１の＋端子に接続され、ツェナーダイオード３０４は、電圧比較器３０１の＋端子とグランドとの間に接続されている。そして、＋端子には、抵抗３０３とツェナーダイオード３０４で生成された基準電圧（１０Ｖ）が入力されていることになる。
【００２６】
フォトカプラー３０２の発光部３０２ａは、電圧比較器３０１の出力に抵抗３０５を介して接続され、抵抗３０５は、フォトカプラー３０２の発光部の電流保護を目的としている。フォトカプラー３０２の出力部３０２ｂを介して出力点Ａと＋入力端子１１０との間に逆電流防止する保護ダイオード３０６が接続されている。
【００２７】
次に、電圧対応回路制御手段４００は、電圧比較器４０１と、基準電圧を生成する抵抗４０３と、ツェナーダイオード４０４と、出力をするフォトカプラー４０２を備えて構成されている。
【００２８】
電圧比較器４０１では、電圧比較器３０１とは逆に、＋端子に＋入力端子１１０が接続されるとともに、＋端子は調整抵抗１４０を介してグランドに落とされている。電圧比較器４０１の−端子には、抵抗４０３が接続され、−端子には、抵抗４０３とツェナーダイオード４０４とで生成された基準電圧（１０Ｖ）が入力されている。電圧比較器４０１の出力は抵抗４０５を介してフォトカプラー４０２の発光部４０２ａに接続されており、発光部４０２ａはグランドに落とされている。出力点Ａとグランドとの間にフォトカプラー４０２の出力部４０２ｂが位置するよう接続されている。
【００２９】
電圧比較器３０１の＋端子と、電圧比較器４０１の−端子には、基準電圧（１０Ｖ）がそれぞれ入力されており、電圧比較器３０１は、基準電圧に対して入力電圧が低い場合、Ｈ（ＶＤＤ）を出力し、入力電圧が高い場合Ｌ（０Ｖ）を出力するようになっている。また、電圧比較器４０１は電圧比較器３０１の逆で、基準電圧に対して入力電圧が高い場合、電圧比較器４０１の出力は、Ｈ（ＶＤＤ）を出力し、入力電圧が低い場合Ｌ（０Ｖ）を出力するようになっている。
【００３０】
次に作用を説明する。  
基本的な作用を先に説明すると、入力回路１００は遊技関連機器に接続され、電圧信号または接点信号で出力される遊技関連機器の出力データを収集する。  
接点対応回路制御手段３００では、電圧信号入力時には回路保護機能により過大な電圧が回路に負荷しないよう保護し、接点信号入力時には出力電圧制御機能により、これを所定の出力に変換して出力する。電圧対応回路制御手段４００では、電圧信号入力があった場合に、出力電圧制御機能により所定の出力に変換して出力する。
【００３１】
このように、遊技関連機器からの電圧信号入力または接点信号入力を、接点対応回路制御手段３００と電圧対応回路制御手段４００に入力し、電圧信号入力または接点信号入力のいずれであっても、接点対応回路制御手段３００と電圧対応回路制御手段４００からの同一体系の出力信号に変換して出力する。
【００３２】
さらに構成を加えて作用を説明する。接点対応回路制御手段３００は、電圧比較器３０１の−端子に電圧信号、または接点信号が入力すると、＋電圧信号の場合は、電圧比較器３０１の出力はＬとなってフォトカプラー３０２の発光部に出力され、フォトカプラー３０２の出力部がＯＦＦとなるため、出力点Ａ側に電流が流れず、回路が保護される。電圧比較器３０１の−端子に無電圧信号、または開放接点信号が入力すると、電圧比較器の出力はＨとなってフォトカプラー３０２の発光部に出力され、フォトカプラー３０２の出力部はＯＮとなり、電流が流れるので、出力点Ａに電圧が発生し、同一体系の所定の出力信号となる。
また、＋入力端子１１０と−入力端子１２０がショートする閉成接点信号となると、上記の電流が接点を通りグランドに流れるので、出力点Ａは０Ｖになる。
【００３３】
電圧対応回路制御手段４００では、電圧比較器４０１の＋端子に、＋電圧信号が入力されると、電圧比較器４０１の出力はＨとなり、出力点Ａがグランドに落とされるので、出力点Ａの電圧は０Ｖとなる。すなわち、電圧信号入力の場合に、電圧信号が無電圧の場合は、前記のように、出力点Ａに電圧が発生するので、電圧信号入力に対して同一体系の所定の出力信号を発生させることができる。
【００３４】
より具体的に電圧信号方式による入力について説明する。この場合は、基準電圧が１０Ｖなので１０Ｖを越える電圧では例えば、１２Ｖ以上の電圧が入力されることが前提となる。  
入力電圧が印加されていない無電圧の場合、この状態では、入力段がオープンとして考えると次のように回路が動作することになる。
【００３５】
電圧比較器３０１の−入力端子１２０と、電圧比較器４０１の＋入力端子１１０は、調整抵抗１４０により０Ｖになり、電圧比較器３０１の出力は、Ｈ（ＶＤＤ）となる。また、電圧比較器４０１の出力は、Ｌ（０Ｖ）となる。電圧比較器３０１の出力がＨ（ＶＤＤ）となることでフォトカプラー３０２が動作し、Ａ点の電圧がフォトカプラー３０２の出力部３０２ｂのトランジスタと保護ダイオード３０６を通して、電圧比較器３０１の−端子と、電圧比較器４０１の＋端子に入力される。
【００３６】
Ａ点の電圧は、フォトカプラー３０２、４０２が動作することで電位を変化させる回路構成となっている。フォトカプラー４０２を動作させると、フォトカプラー４０２の出力部４０２ｂのトランジスタのコレクタ、エミッタ間がショート状態となり０Ｖになる。またフォトカプラー３０２を動作させると、出力部３０２ｂのトランジスタのコレクタ、エミッタ間がショート状態となり保護ダイオード３０６と調整抵抗１４０を通して、グランドへと流れる。
【００３７】
そこで、Ａ点の電圧は、調整抵抗１３０と調整抵抗１４０で分圧された電圧値となる。この場合の電圧値は、３．５Ｖ〜５Ｖ未満になるように調整抵抗１３０、１４０の抵抗値が設定されている。各抵抗値は、次式より求められる。  
式  Ｖ＝Ｒ２・ＶＤＤ／（Ｒ１＋Ｒ２）となる。
【００３８】
図２を例にした場合次のようになる。  
Ａ点の電圧＝調整抵抗１３０×５（電源）／（調整抵抗１３０＋調整抵抗１４０）、
例えば、Ａ点の電圧値の設定をフォトカプラー３０２が動作し４Ｖとなるようにした場合、コンピュータ側は４Ｖが入力されるので、ロジック回路で見た場合、５Ｖの場合でも４Ｖの場合でも信号レベルがＨレベルと判断される。一方このＡ点の電圧は、電圧比較器３０１の−端子と、電圧比較器４０１の＋入力端子１１０に入力される。
【００３９】
電圧比較器３０１、４０１の入力電圧は０Ｖ（オープン状態）から４Ｖに電圧が変化するが、電圧比較器３０１、４０１の基準電圧が１０Ｖに設定しているため電圧比較器３０１、４０１の出力は、変化しない。
【００４０】
次に、＋入力端子１１０に１２Ｖ以上の電圧信号を印加すると次のように動作する。電圧比較器３０１の−端子と、電圧比較器４０１の＋端子に１２Ｖが入力されると、上記説明した動作の逆の動作になる。具体的には、電圧比較器３０１の出力はＬ（０Ｖ）となりフォトカプラー３０２の出力部３０２ｂのトランジスタがＯＦＦ（電流が流れない状態）となる。電圧比較器４０１の出力はＨ（ＶＤＤ）となり、フォトカプラー４０２の出力部４０２ｂのトランジスタがＯＮ（ショート状態）となり、Ａ点の電圧は、グランドレベルの０Ｖになる。
【００４１】
この、接点対応回路制御手段３００では、入力と出力を保護ダイオード３０６とフォトカプラー３０２の出力部３０２ｂのトランジスタで電気的に遮断させる働きとなり、コンピュータ側へ入力信号の高電圧を遮断して保護している。  
つまり、入力に１２Ｖ以上の電圧が入力されると出力がＬ（０Ｖ）となり電圧入力されたことを検知する。
【００４２】
次に入力を接点信号入力にした場合について説明する。接点が開放状態の場合は、上記に述べた０Ｖ（開放状態）と同じになる。  
接点をショートさせた接点信号であると、調整抵抗１４０で分圧されていた電圧は接点を通りグランドに流れ、Ａ点の電圧は４Ｖから０Ｖに変化することでロジック的に見ると、Ｈ（ＶＤＤ）からＬ（０Ｖ）になり接点信号を検知することが出来る。
【００４３】
上記のように、本発明によれば、入力に接点、または電圧信号であっても検知することが可能となり、従来のように接点信号の時は、ＡコネクタとかＡにスイッチを切替え、電圧信号の時はＢコネクタとかＢにスイッチを切替えるなどの作業を省略することが出来る。
【００４４】
なお、前記実施の形態では、同一体系の所定の出力信号を、入力信号を反転させた電圧信号としたが、反転させない信号とすることができ、また、接点信号とすることもできる。
【図面の簡単な説明】
【００４５】
【図１】本発明の一実施の形態に係る入力回路の概念ブロック図である。
【図２】本発明の一実施の形態に係る入力回路のブロック図である。
【符号の説明】
【００４６】
１００…入力回路
１１０…＋入力端子
１２０…−入力端子
１３０、１４０…調整抵抗
３００…接点対応回路制御手段
３０１…電圧比較器
３０２…フォトカプラー
３０３…抵抗
３０４…ツェナーダイオード
３０５…抵抗
３０６…保護ダイオード
４００…電圧対応回路制御手段
４０１…電圧比較器
４０２…フォトカプラー
４０３…抵抗
４０４…ツェナーダイオード
４０５…抵抗
【図１】
2005081023.tif 000003
【図２】
2005081023.tif 000004